(57)【要約】【課題】簡単な構造で、リリース時にコントロールユニットが前方へ押し出された状態にする。また、その際、いじって壊れたり、けがをしたりしないようにすることである。【解決手段】機器本体１１の前面に取り付けるコントロールユニット１０の接合面１２、１２’に、それぞれ、係合突起２５と突起２５の嵌る嵌合口１６を設ける。前記突起２５は、接合面１２の内側に向けて移動可能とし、その移動側を傾斜させた押上げ部３５とする。一方、嵌合口１６には、押し上げ部３５と逆向きの傾斜１９を形成する。そして、リリース時に係合突起２５の押上げ部３５が嵌合口１６の傾斜に当たると、傾斜同士が滑って（逃げて）コントロールユニット１０が持ち上がる。こうした係合突起２５と嵌合口１６の簡単な構造で、前記ユニット１０を前方へ押し出した状態にできる。また、前記突起２５は、大きく飛び出す必要はなく丈夫なので、壊れたり、けがをさせたりしない。【選択図】図６
2010195199.tif 000002
【特許請求の範囲】
【請求項１】
機器本体の接合面または前記機器本体の前面に脱着自在に取り付けるコントロールユニットの接合面のいずれか一方に係合突起を設け、他方に前記突起の嵌る嵌合口を設け、
前記係合突起は、機器本体あるいはコントロールユニットに設けたリリースボタンが押されると移動可能とし、その移動側を押上げ部として、移動方向と逆側をフック状の係合部とし、
前記嵌合口は、嵌合口に嵌入された係合突起のフック状の係合部が掛かる係止部と、押し上げ部が当接する傾斜が形成されており、
リリースボタンを押すと、係合突起が並行に移動してフック状の係合部が嵌合口の係止部との係合を解消し、押し上げ部が嵌合口の傾斜に当たって持ち上げるようにしたコントロールユニットのリリース構造。
【請求項２】
上記接合面の他端のいずれか一方に係合用のツメを設け、他方にツメを掛ける溝を設けて、支点としてコントロールユニットを回動できるようにするとともに、前記コントロールユニットを脱着自在に取り付けられるようにした請求項１に記載のコントロールユニットのリリース構造。
【請求項３】
上記機器本体とコントロールユニットのいずれか一方に磁石を設け、他方に磁性材を設けて、機器本体にコントロールユニットを吸着できるようにした請求項１または２に記載のコントロールユニットのリリース構造
【請求項４】
上記接合面のいずれか一方に突出部を形成し、他方に前記突出部の嵌る凹部を形成して、その突出部あるいは凹部に磁石または磁性材を取り付けた請求項３に記載のコントロールユニットのリリース構造。
【請求項５】
上記係合突起のフック状の係合部の突起の上部を先端に向けて傾斜させた請求項１乃至４のいずれかに記載のコントロールユニットのリリース構造。
【発明の詳細な説明】
【技術分野】
【０００１】
この発明は、コントロールユニットが分離したことを明示できるようにしたコントロールユニットのリリース構造に関するものである。
【背景技術】
【０００２】
車載用の電子機器（例えば、オーディオ機器、無線機器など）では、前面のコントロール（フロント）ユニットを機器本体から脱着自在に分離できるようにして盗難に備えたものがある。
【０００３】
このようなコントロールユニットを脱着できるようにしたものでは、使い勝手を良くするため、コントロールユニットを分離した際、分離したコントロールユニットを前方へ押し出した状態（ポップアップ状態）にして、分離したことを明示するようにしている。
【０００４】
例えば、「特許文献１」に記載されたものがある。このものは、図９のように、機器本体１に、回転可能なアーム２を設け、このアーム２の先端に回動可能なホルダー３を取り付けて、コントロールユニット４の係合凹部５と係合するようにしたもので、リリースボタン６から手を離すと、アーム２が第１のバネ７によって前方へ回動するとともに、前記ホルダー３が第２のバネ８によって前方へ回動し、コントロールユニット１を図９のように前方へ押し出すというものである。
【先行技術文献】
【特許文献】
【０００５】
【特許文献１】特開平７−１５６７１９号公報
【発明の概要】
【発明が解決しようとする課題】
【０００６】
しかしながら、上記のものでは、第１と第２のバネを使ってアームとアームの先端に設けたホルダー部材を回動させる。そのため、構造が込み入っており、動作も複雑である。したがって、組み立ても難しく、コストもかかる。さらに、軸を用いて可動させる機構のため、耐久性にも問題があると考えられる。
【０００７】
また、上記のものでは、図１０のように、コントロールユニット４を分離した際、機器本体１からアーム２が突出した状態になるので、アーム２をいじって壊したり、突出したアーム２でけがをしたりすることも考えられる。
【０００８】
そこで、この発明の課題は、簡単な構造で、リリース時にコントロールユニットが前方へ押し出された状態（ポップアップ状態）にすることである。また、その際、いじって壊れたり、けがをしたりしないようにすることである。
【課題を解決するための手段】
【０００９】
上記の課題を解決するため、この発明では、機器本体の接合面または前記機器本体の前面に脱着自在に取り付けるコントロールユニットの接合面のいずれか一方に係合突起を設け、他方に前記突起の嵌る嵌合口を設け、前記係合突起は、機器本体あるいはコントロールユニットに設けたリリースボタンが押されると移動可能とし、その移動側を押上げ部として、移動方向と逆側をフック状の係合部とし、前記嵌合口は、嵌合口に嵌入された係合突起のフック状の係合部が掛かる係止部と、押し上げ部が当接する傾斜が形成されており、
リリースボタンを押すと、係合突起が並行に移動してフック状の係合部が嵌合口の係止部との係合を解消し、押し上げ部が嵌合口の傾斜に当たって持ち上げるようにした構成を採用したのである。
【００１０】
このような構成を採用することにより、コントロールユニットは、係合突起の係合部が嵌合口の係止部に係合することにより、機器本体と一体に取り付けられる。この状態で、リリースボタンが押されると、係合突起が並行に移動し、係止部との係合が解消されて取り外しが可能となり、係合突起の押上げ部が嵌合口の傾斜に当たる。次に、係合突起が移動すると、前記傾斜が滑って（逃げて）コントロールユニットが持ち上がり、コントロールユニットを前方へ押し出した状態（ポップアップ状態）にすることができる。このように係合突起と嵌合口だけの簡単な構造なので、組み立てが容易で、コストもかからず、耐久性にも富む。また、接合面の突起は、アームのように機器本体から大きく飛び出す必要はなく、また、アームに比べて丈夫なので、壊れたり、けがをさせたりすることは無い。
【００１１】
このとき、上記接合面の他端のいずれか一方に係合用のツメを設け、他方にツメを掛ける溝を設けて、支点としてコントロールユニットを回動できるようにするとともに、前記コントロールユニットを脱着自在に取り付けられるようにした構成を採用することができる。
【００１２】
このような構成を採用することにより、ツメを溝に掛けるだけで、脱着が容易にできる。
【００１３】
また、このとき、上記機器本体とコントロールユニットのいずれか一方に磁石を設け、他方に磁性材を設けて、機器本体にコントロールユニットを吸着できるようにした構成を採用することができる。
【００１４】
このような構成を採用することにより、コントロールユニットが前方へ押し出されてポップアップ状態になった際に、磁石の吸着力で前記パネルが抜け落ちるのを防止する。また、コントロールユニットを機器本体に取り付けた際は、磁石の吸着力で固定して、ガタをなくすことができる。
【００１５】
このとき、上記接合面のいずれか一方に突出部を形成し、他方に前記突出部の嵌る凹部を形成して、その突出部あるいは凹部に磁石または磁性材を取り付けた構成を採用することができる。
【００１６】
このような構成を採用することにより、突出部と凹部が磁力で吸着し合ってコントロールユニットを機器本体の取り付け位置へ誘導できるため、取り付けが簡単に行える。
【００１７】
また、このとき、上記係合突起のフック状の係合部の突起の上部を先端に向けて傾斜させた構成を採用することができる。
【００１８】
このような構成を採用することにより、係合突起が嵌合口へ嵌る際、傾斜させた係合部の突起の上部が嵌合口の縁に接することにより、嵌合口への嵌入がスムーズに行える。
【発明の効果】
【００１９】
この発明は、以上のように構成したことにより、リリース状態を認識しやすくできるので、脱着が容易にスムーズにできる。また、リリース状態が確り認識できるので、無理に外そうとすることがなくなり、破損による故障を防止できる。
【図面の簡単な説明】
【００２０】
【図１】実施形態の斜視図
【図２】実施形態のコントロールパネルの接合面の正面図
【図３】実施形態の機器本体の接合面の正面図
【図４（ａ）】実施形態の断面図
【図４（ｂ）】他の態様を示す作用説明図
【図５】実施形態の作用説明図
【図６】実施形態の作用説明図
【図７】実施形態の作用説明図
【図８】実施形態の作用説明図
【図９】従来例の作用説明図
【図１０】従来例の作用説明図
【発明を実施するための形態】
【００２１】
以下、この発明を実施するための形態を図面に基づいて説明する。
図１に本願のリリース構造を採用した車載用の無線機を示す。前記無線機は、コントロールユニット１０と機器本体１１で構成されており、コントロールユニット１０は機器本体１１の前面に脱着自在に取り付けるようになっている。また、本体側面に配置されたリリースボタン３１を押下すると、コントロールユニット１０を取り外すことができる。
【００２２】
コントロールユニット１０は、前面が表示画面、操作用ダイヤルなどを設けた操作パネルになっており、背面は、図２のような機器本体１１との接合面１２になっている。
前記接合面１２は、図２のように、中央を台地状に突出させた突出部１３を備え、前記突出部１３の中央部分に、入出力端子１４を設けた形状となっており、前記端子１４の両側に磁石１５を嵌め込んでネジ止めするようになっている。さらに、接合面１２の一端に横長の略長方形の嵌合口１６を設け、他端に嵌合溝１７を設けた構造となっている。
【００２３】
前記嵌合口１６は、接合面１２の一方の端部に縦に２つ並べて設けられており、その開口は、後述の係合突起２５が嵌る大きさに形成してある。また、その内部は、図４（ａ）のように、係止部１８と傾斜１９が形成してある。
係止部１８は、長方形状の嵌合口１６の内側の一方（一端側）の縁に段を形成して、後述する係合突起２５のフック状の係合部２６が引っ掛かるようにしたものである。
傾斜１９は、図４（ａ）のように、係合突起２５のフック状の係合部２６が、嵌合口１６の係止部１８と外れる部分から、図４（ａ）のように横方向に、前記接合面１２に向かって上り傾斜となるように形成してある。また、前記傾斜１９は、後述するように、係合突起２５の押し上げ部３５と当接するように傾きが嵌合口に対して外向きの傾斜となるように形成したものである。
【００２４】
嵌合溝１７は、図２に示すように、接合面１２の他端に縦に２つ並べて形成してある。また、前記溝１７は、端部の曲面を切り欠いた形状をしており、後述する機器本体１１の係合用のツメ２７が引っかかるようにしてある。
【００２５】
一方、機器本体１１の接合面１２’は、図３に示すように、中央に台形状の凹部２８を設け、コントロールユニット１０の接合面１２に設けた台地状の突出部１３と嵌合するようにしてある。また、その中央部分に入出力端子２９を設けた形状となっている。さらに、入出力端子２９の両側に磁性材（例えば、金属製（板金）の板）３０を取り付けてある。この形態では、磁性材３０は、接合面１２’の内側に取り付けてある。さらに、接合面１２’の一端に係合突起２５を設け、他端に係合用のツメ２７を設けた構成とするともに、機器本体１１の側部にリリースボタン３１を設けた構造となっている。
【００２６】
係合突起２５は、図５及び図６に示すように、接合面１２’から突出した突起２５ａと接合面１２’の内部の突起本体２５ｂとで構成されており、接合面１２’に横向きに移動できるようにしてある。そのため、例えば、接合面１２’にスリット３２を設けて突起２５が並行に移動できるようにするとともに、接合面１２’の内部に溝状のホルダー３３を接合面１２’と並行に設けて、突起本体２５ｂを移動自在に支持するようにしてある。
また、この形態では、前記溝状のホルダー３３と側部のボタン孔３１’とを連通するとともに、突起本体２５ｂにリリースボタン３１を一体に形成してある。さらに、前記溝状のホルダー３３内にスプリング３４を配して、突起本体２５ｂを、図５の矢印のように、端部に向けて外向きに付勢することで、後述のように、係合突起２５の突起２５ａを端部側に移動して、コントロールユニット１０が外れないようにしてある。さらに、側部のボタン孔３１’にリリースボタン３１が臨むようにしてある。
【００２７】
また、この形態の係合突起２５は、突起２５ａがリリースボタン３１を押した際に、横方向に移動する側（接合面の端部側）を傾斜させた押上げ部３５とし、逆側をフック状の係合部３６としてある。さらに、フック状の係合部３６は、突起２５ａの上部を先端に向けて傾斜させた形状としてある。
なお、この形態では、押上げ部３５を傾斜させたが、これに限定されるものではない。例えば、図４（ｂ）のように、押上げ部３５を傾斜させる必要は無い。実施形態のようにスムーズな動作を得られないと考えられるが、傾斜が無くても所期の効果は期待できる。
【００２８】
係合用のツメ２７は、機器本体１１の接合面１２’の他端に設けられたもので、図４（ａ）のものでは、他端の隔壁３７から接合面１２’と並行に突出させてある。
【００２９】
この形態は、上記のように構成されており、機器本体１１に取り付けられたコントロールユニット１０は、図４（ａ）のように、一端の係合突起２５が嵌合口１６に嵌り、嵌合口１６の係止部１８に係合突起２５のフック状の係合部３６が掛かり、他端の係合用のツメ２７が嵌合溝１７に嵌って、コントロールユニット１０を固定している。
【００３０】
いま、機器本体１１からコントロールユニット１０を取り外すには、機器本体１１の側部のリリースボタン３１をスプリング３４に抗して押し込む。すると、図５のように、係合突起２５が接合面１２の横方向に向けて移動する。そのため、係合突起２５の係合部３６と嵌合口１６の係止部１８との係合が解消され、コントロールユニット１０は取り外せるようになる。さらに、リリースボタン３１が押下されて、この状態から係合突起２５が横方向に移動すると、係合突起２５の押し上げ部３５の傾斜が嵌合口１６の傾斜１９に当たる。そして、係合突起２５が横方向に移動すると、嵌合口１６の傾斜１９が滑って逃げるため（係合突起２５は並行にしか移動できないため）、係合突起２５に押されてコントロールユニット１０が持ち上がる。したがって、コントロールユニット１０は接合面１２’の他端のツメ２７を支点として、前方へ押し出されたポップアップ状態になり、コントロールユニット１０が分離したことを明示する。
このとき、コントロールユニット１０は、係合突起２５による係合が解消されても磁石１５の磁力で機器本体１１に吸着して、抜け落ちを防止するので、コントロールユニット１０が落下することなく図７のように、取り外すことができる。
このように、ポップアップ状態によりリリース状態が確り認識できるので、取り外しは簡単でスムーズにできる。また、リリース状態が確認できるので、無理に外そうとして破損する事故の発生も防止できる。
【００３１】
一方、取り外したコントロールユニット１０を機器本体１１に取り付ける際には、コントロールユニット１０の他端の嵌合溝１７を機器本体のツメ２７に嵌める。そして、コントロールユニット１０を図８のように機器本体１１の接合面１２’に近づけると、磁石１５の磁力に誘導されてコントロールユニット１０の接合面１２の突出部１３が、機器本体１１の接合面１２’の中央に設けた凹部２８にパチンと嵌りガタを生じない。同時に、機器本体１１の係合突起２５もコントロールユニット１０の嵌合口１６に嵌る。このとき、係合突起２５は、スプリング３４により、端部（一端側）に移動して（戻って）いるが、係合突起２５が嵌合口１６へ嵌る際、傾斜させた係合部３６の上部が嵌合口１６の縁に接することにより、嵌合口１６への嵌入がスムーズに行える。
このように、コントロールユニット１０を磁力で機器本体の取り付け位置へ誘導できるため、取り付けが簡単に行える。
【００３２】
なお、実施形態では、コントロールユニット１０に嵌合口１６を設け、機器本体１１に係合突起２５を設けたが、これに限定されるものではない。例えば、コントロールユニット１０に係合突起２５を設け、機器本体１１に嵌合口１６を設けても良い。同様に、ツメ２７と嵌合溝１７、磁石１５と磁性材３０、突出部１３と凹部２８もどちらに設けても良いことは明白である。
【符号の説明】
【００３３】
１０  コントロールユニット
１１  機器本体
１２  接合面
１２’  接合面
１３  突出部
１５  磁石
１６  嵌合口
１７  嵌合溝
１８  係止部
１９  傾斜
２５  係合突起
２７  ツメ
２８  凹部
３０  磁性材
３１  リリースボタン
３２  スリット
３５  押上げ部
３６  係合部
【図１】
2010195199.tif 000003
【図２】
2010195199.tif 000004
【図３】
2010195199.tif 000005
【図４（ａ）】
2010195199.tif 000006
【図４（ｂ）】
2010195199.tif 000007
【図５】
2010195199.tif 000008
【図６】
2010195199.tif 000009
【図７】
2010195199.tif 000010
【図８】
2010195199.tif 000011
【図９】
2010195199.tif 000012
【図１０】
2010195199.tif 000013